(57)【要約】【課題】構造を大幅に変更することなく、操作性に優れたバッグ連結体を提供すること。【解決手段】バッグ連結体１は、第１のバッグ２と、フィルター８と、第２のバッグ３と、第３のバッグ４と、第４のバッグ５と、それらを接続するチューブ６１〜６６と、各バッグ２〜５を連結する連結部材９とを有する。連結部材９は、ラベル部９１、切り離し部９５、ラベル部９２、切り離し部９６、ラベル部９３、切り離し部９７およびラベル部９４が長手方向に沿ってこの順に形成された帯状の部材であり、各ラベル部９１〜９４がそれぞれ対応するバッグ２〜５に貼着されている。隣接するラベル部と切り離し部との境界には、それぞれミシン目９８が形成され、その一端部には、ノッチ９９が形成されている。各切り離し部９５〜９７には、それを切り離す順番を示す数字が付されている。【選択図】図１
2004267377.tif 000002
【特許請求の範囲】
【請求項１】
チューブで連結された可撓性を有する複数のバッグが、連結部材により連結されたバッグ連結体であって、
前記連結部材は、バッグに貼着されたラベル部と、隣接するバッグ間で前記ラベル部を切り離す切り離し部とを有していることを特徴とするバッグ連結体。
【請求項２】
採血された血液を導入する第１のバッグと、前記第１のバッグとチューブを介して連結された第２のバッグと、前記チューブの途中に設けられ、所定の成分を除去するフィルターとを有する請求項１に記載のバッグ連結体。
【請求項３】
前記フィルターは、白血球除去フィルターである請求項２に記載のバッグ連結体。
【請求項４】
前記第２のバッグに対し、さらに少なくとも１つの他のバッグが連結されている請求項２または３に記載のバッグ連結体。
【請求項５】
前記切り離し部は、所定の領域を有し、前記ラベル部と前記切り離し部とが、前記連結部材の長手方向に沿って交互に形成されている請求項１ないし４のいずれかに記載のバッグ連結体。
【請求項６】
前記切り離し部は、所定の領域を有し、該領域の少なくとも一部が重ねられて固着されている請求項１ないし４のいずれかに記載のバッグ連結体。
【請求項７】
前記ラベル部と前記切り離し部とが視覚的に区別し得るよう構成されている請求項１ないし６のいずれかに記載のバッグ連結体。
【請求項８】
前記ラベル部と前記切り離し部との色彩が異なる請求項７に記載のバッグ連結体。
【請求項９】
前記連結部材は、複数の切り離し部を有し、それらを切り離す順番を示す情報が前記連結部材または前記バッグに表示されている請求項１ないし８のいずれかに記載のバッグ連結体。
【請求項１０】
前記ラベル部には、それが貼着されているバッグの内容物に関する情報が表示されている請求項１ないし９のいずれかに記載のバッグ連結体。
【発明の詳細な説明】
【０００１】
【発明の属する技術分野】
本発明は、複数のバッグを連結したバッグ連結体に関するものである。
【０００２】
【従来の技術】
ドナーより全血を採血した後、その採血血液を遠心分離して複数の血液成分に分離し、必要な血液成分を回収する血液分離システムでは、採血バッグと、少なくとも１つの血液成分バッグとがチューブで連結されたバッグ連結体が用いられている。このバッグ連結体は、バッグ数が３つのものは３連バッグ、バッグ数が４つのものは４連バッグと呼ばれている。
【０００３】
このようなバッグ連結体では、通常、各バッグはチューブで連結されているものの、それぞれが独立しており、バッグ同士は自由に移動することができるようになっている。
【０００４】
そのため、採血から血液成分の分離に至る操作においては、これらのバッグがばらばらになり、バッグ間を連結しているチューブが絡まり、操作が煩わしくなるという問題があった。
【０００５】
特に、白血球のような所定の血液成分を除去するフィルターを回路内に設置した、いわゆるインラインフィルターにおいては、該フィルターにて濾過を行う際に、上述したようなチューブの絡みが生じ易い。
【０００６】
このようなバッグ連結体における操作性（ハンドリング性）の問題を解決するものとして、一枚のシート状に複数のチャンバーを形成し、それらのチャンバー間を選択的な液体流通手段で連通するという手段を備える発明が開示されている（例えば、特許文献１参照）。
【０００７】
しかしながら、この発明におけるバッグ連結体においては、それを構成する各バッグの形態およびバッグ間を連通する連通路（チューブに相当する部分）の構造が、従来のバッグ連結体とは全く異なっている。
【０００８】
そのため、構造が複雑で製造が困難であり、コスト高となるという欠点の他、採血から血液成分の分離・回収に至る操作が分かり難く、また、汎用性がなく、特に血液成分の分離や回路を切り離す工程で従来の装置（遠心分離装置、血液成分分離移送装置等）を用いることができない、あるいは、かろうじて適用可能であったとしても、血液成分の回収率が低くなる等の種々の欠点を有する。
【０００９】
【特許文献１】
特表平９−５００３１６号公報
【００１０】
【発明が解決しようとする課題】
本発明の目的は、構造を大幅に変更することなく、操作性に優れたバッグ連結体を提供することにある。
【００１１】
【課題を解決するための手段】
このような目的は、下記（１）〜（１０）の本発明により達成される。
【００１２】
（１）  チューブで連結された可撓性を有する複数のバッグが、連結部材により連結されたバッグ連結体であって、
前記連結部材は、バッグに貼着されたラベル部と、隣接するバッグ間で前記ラベル部を切り離す切り離し部とを有していることを特徴とするバッグ連結体。
【００１３】
（２）  採血された血液を導入する第１のバッグと、前記第１のバッグとチューブを介して連結された第２のバッグと、前記チューブの途中に設けられ、所定の成分を除去するフィルターとを有する上記（１）に記載のバッグ連結体。
【００１４】
（３）  前記フィルターは、白血球除去フィルターである上記（２）に記載のバッグ連結体。
【００１５】
（４）  前記第２のバッグに対し、さらに少なくとも１つの他のバッグが連結されている上記（２）または（３）に記載のバッグ連結体。
【００１６】
（５）  前記切り離し部は、所定の領域を有し、前記ラベル部と前記切り離し部とが、前記連結部材の長手方向に沿って交互に形成されている上記（１）ないし（４）のいずれかに記載のバッグ連結体。
【００１７】
（６）  前記切り離し部は、所定の領域を有し、該領域の少なくとも一部が重ねられて固着されている上記（１）ないし（４）のいずれかに記載のバッグ連結体。
【００１８】
（７）  前記ラベル部と前記切り離し部とが視覚的に区別し得るよう構成されている上記（１）ないし（６）のいずれかに記載のバッグ連結体。
【００１９】
（８）  前記ラベル部と前記切り離し部との色彩が異なる上記（７）に記載のバッグ連結体。
【００２０】
（９）  前記連結部材は、複数の切り離し部を有し、それらを切り離す順番を示す情報が前記連結部材または前記バッグに表示されている上記（１）ないし（８）のいずれかに記載のバッグ連結体。
【００２１】
（１０）  前記ラベル部には、それが貼着されているバッグの内容物に関する情報が表示されている上記（１）ないし（９）のいずれかに記載のバッグ連結体。
【００２２】
【発明の実施の形態】
以下、本発明のバッグ連結体を添付図面に示す好適実施形態に基づいて詳細に説明する。
【００２３】
図１は、本発明のバッグ連結体の第１実施形態を模式的に示す平面図である。同図に示すバッグ連結体１は、ドナー（供血者）から血液を採取し、この採血血液を複数の血液成分に分離し、それらのうちから所望の血液成分をバッグに回収するために用いられるものであり、採血血液を収納する第１のバッグ（採血バッグ）２と、血液成分を収納する第２のバッグ（赤血球バッグ）３、第３のバッグ（血小板バッグ）４および第４のバッグ（血漿バッグ）５の合計４つのバッグを有する４連バッグ連結体である。
【００２４】
第１のバッグ２は、可撓性を有するシート材を重ね、その周囲を融着（シール）して袋状としたバッグ本体２０を有している。また、同様に、第２のバッグ３、第３のバッグ４および第４のバッグ５も、それぞれ、可撓性を有するシート材を重ね、その周囲を融着（シール）して袋状としたバッグ本体３０、４０および５０を有している。
【００２５】
バッグ本体２０、３０、４０および５０の構成材料としては、例えば、ポリ塩化ビニル、軟質ポリ塩化ビニル、軟質ポリ塩化ビニルを主とする材料（例えば、少量の他の高分子材料との共重合体、ポリマーブレンド、ポリマーアロイ等）、エチレン−酢酸ビニル共重合体等が挙げられる。
【００２６】
なお、第１のバッグ２内には、予め抗凝固剤が入れられていることが好ましい。この抗凝固剤は、通常液体であり、例えば、ＡＣＤ−Ａ液、ＣＰＤ液、ＣＰＤＡ−１液、ヘパリンナトリウム液等が挙げられる。このような抗凝固剤のバッグ本体２０内における量は、予定採血量に応じた適正な量とされる。
【００２７】
また、第４のバッグ５内には、予め赤血球保存液が入れられていることが好ましい。この赤血球保存液は、通常液体であり、例えば、ＳＡＧＭ液、ＭＡＰ液、ＯＰＴＩＳＯＬ液等が挙げられる。バッグ本体５０内における量は、予定採血量に応じた適正な量とされる。
【００２８】
図１に示すように、第１のバッグ２の図１中上端部には、第１のバッグ２内（血液収納部）に連通するよう可撓性を有するチューブ６１、６２の一端がそれぞれ接続されている。このうちの一方のチューブ６１の他端には、ハブ７１を介して採血針７が装着されている。ハブ７１には、採血針７を被包する図示しないキャップが装着される。また、他方のチューブ６２の他端は、フィルター８の入口８１に接続されている。
【００２９】
第２のバッグ３の図１中上端部には、第２のバッグ３内（血液成分収納部）に連通するよう可撓性を有するチューブ６３、６４の一端がそれぞれ接続されている。このうちの一方のチューブ６３は、フィルター８の出口８２に接続されている。
【００３０】
第３のバッグ４および第４のバッグ５の図１中上端部には、それぞれ、第３のバッグ４内（血液成分収納部）および第４のバッグ５内（血液成分収納部）に連通するよう可撓性を有するチューブ６５、６６の一端が接続されている。
【００３１】
チューブ６４、６５および６６の他端は、分岐コネクタ６７の３つのポートにそれぞれ接続されている。
【００３２】
以上のような構成により、第１のバッグ２〜第４のバッグ５は、それぞれ、チューブ６２、フィルター８、チューブ６３、チューブ６４、チューブ６５、チューブ６６および分岐コネクタ６７を介して連結され、その内部同士が連通している。
【００３３】
チューブ６１〜６６の構成材料としては、それぞれ、例えば、ポリ塩化ビニル、軟質ポリ塩化ビニル、軟質ポリ塩化ビニルを主とする材料（例えば、少量の他の高分子材料との共重合体、ポリマーブレンド、ポリマーアロイ等）、エチレン−酢酸ビニル共重合体等が挙げられる。
【００３４】
フィルター８は、ハウジングと、該ハウジング内に設けられた濾材（濾過媒体）とを有しており、入口８１より導入された血液は、濾材により所望の成分（不要物）が濾別されて出口８２より流出する。
【００３５】
フィルター８のハウジングの構成材料としては、ポリカーボネート、ポリ塩化ビニル、軟質ポリ塩化ビニル、エチレン−酢酸ビニル共重合体、アクリロニトリル−ブタジエン−スチレン共重合体（ＡＢＳ樹脂）、アクリロニトリル−スチレン共重合体（ＡＳ樹脂）等が挙げられる。
【００３６】
また、濾材の構成材料としては、例えば、ポリエーテル型ポリウレタン、ポリエステル型ポリウレタン、ポリエチレンテレフタレート、ポリブチレンテレフタレート等の多孔体や不織布等が挙げられる。
【００３７】
このフィルター８の種類は、特に限定されず、用途等に応じて適宜選択されるが、例えば、濾別する成分により分類すると、白血球除去フィルター、マイクロアグリゲート（微細凝集塊）除去フィルター、ウイルス除去フィルター、エンドトキシン除去フィルター等が挙げられる。また、その他、細菌、プリオン、病原物質等を除去するフィルターでもよい。
【００３８】
白血球除去フィルターには、白血球のみを分離するタイプ（リンパ球、顆粒球、単球のうちの１つまたは２つ以上を分離するものでもよい）と、白血球および血小板を濾別するタイプとがあり、また、同時に微細凝集塊を濾別するようにすることも可能である。
【００３９】
また、マイクロアグリゲート除去フィルターには、微細凝集塊のみを濾別するタイプと、微細凝集塊および血小板を濾別するタイプとがある。
【００４０】
また、ウイルス除去フィルターにおいては、ウイルス（例えば、ＨＡＶ、ＨＢＶ、ＨＣＶ、ＨＩＶ、ＨＴＬＶ−Ｉ、ＣＭＶ、パルボウイルスＢ１９、フィローウイルス、ハンタウイルス等）のみを濾別するタイプと、ウイルスとともに、エンドトキシンと微細凝集塊とのいずれか一方または両方を濾別するタイプがある。また、さらに白血球や血小板も選択的に濾別できるようにすることもできる。
【００４１】
また、エンドトキシン除去フィルターにおいても、エンドトキシンのみを濾別するタイプと、エンドトキシンとともに、ウイルスと微細凝集塊とのいずれか一方または両方を濾別するタイプがある。また、さらに白血球や血小板も選択的に濾別できるようにすることもできる。
【００４２】
このような第１〜第４バッグ２〜５は、図１に示すように、平面状に並べられ、この状態で帯状の連結部材９により連結されている。
【００４３】
連結部材９は、各バッグ２〜５にそれぞれ貼着されるラベル部９１〜９４と、隣接するバッグ間で連結部材９を切り離す切り離し部９５〜９７（図１中斜線を施して示す）とを有しており、好ましくは可撓性を有している。詳述すると、ラベル部９１と９２との間に所定の領域（面積）を有する切り離し部９５が形成され、ラベル部９２と９３との間に所定の領域（面積）を有する切り離し部９６が形成され、ラベル部９３と９４との間に所定の領域（面積）を有する切り離し部９７が形成されている。すなわち、ラベル部９１〜９４と、所定の領域（面積）を有する切り離し部９５〜９７とが連結部材９の長手方向に沿って交互に形成されている。
【００４４】
このように連結部材９は、各ラベル部９１〜９４と、各切り離し部９５〜９７とが一体として形成されているため、これらを別々に製造し、個々に各バッグ２〜５に装着（貼着）する必要がないので、バッグ連結体１の製造を容易に行うことができ、製造の自動化にも寄与する。
【００４５】
また、帯状の連結部材９を用いて各バッグ２〜５を連結するため、各バッグ２〜５、フィルター８およびチューブ６１〜６６の構造、形態およびそれらの接続構造（回路構成）等をほとんど変更することなく、バッグ連結体１を構成することができ、そのため、採血から血液成分の分離・回収に至る一連の操作も、各切り離し部９５〜９７の切り離し操作以外は従来とほとんど変更がなく、操作が分かり易く、誤操作が防止される。さらに、各バッグ２〜５の構造や回路構成等にほとんど変更がないため、従来の遠心分離装置、血液成分分離移送装置等をそのまま用いることができ、この点でも操作が容易で、誤操作が防止されるとともに、血液成分の回収率を高く維持することができる。
【００４６】
各ラベル部９１〜９４と各切り離し部９５〜９７との境界には、ミシン目９８が形成されている。さらに、各ミシン目９８の一端部には、ノッチ（切欠き）９９が形成されている。これにより、各切り離し部９５〜９７の切り離し操作、すなわちラベル部９１〜９４と切り離し部９５〜９７との分離を、容易かつ確実に行うことができる。
【００４７】
また、ラベル部９１〜９４と切り離し部９５〜９７とが視覚的に区別し得るよう構成されているのが好ましい。例えば、ラベル部９１〜９４と切り離し部９５〜９７との色彩が異なるようにする方法、切り離し部９５〜９７のみに斜線やその他の模様を付す方法等が挙げられる。これにより、切り離し部９５〜９７の位置を容易に把握することができ、切り離し操作を容易かつ確実に行うことができる。
【００４８】
なお、切り離し部９５〜９７の色彩をラベル部９１〜９４と異ならせる場合、切り離し部９５〜９７同士の色彩も互いに異なるようにしてもよい。例えば、ラベル部９１〜９４を白色とし、切り離し部９５〜９７がそれぞれ赤色、オレンジ色、黄色とすることがでる。この場合、切り離し部９５〜９７の色彩の色の濃さ（明度）により、後述するような切り離す順番を示すようにすることもできる。各ラベル部９１〜９４は、その裏面に粘着剤層を有し、この粘着剤層により各バッグ本体２０〜５０の表面に貼着されている。また、ラベル部９１〜９４には、それが貼着されているバッグの内容物（収納物）に関する情報が例えば印刷により表示されている。表示される情報としては、例えば、収納する血液成分の種類、バッグの容量、血液型、採血日、ドナーに関する情報（氏名、年齢、性別等）等が挙げられる。表示の方法は、前記のような情報を文字、数字、記号等でそのまま表示する場合の他、前述したような情報をコード化して表示する（例えばバーコードや二次元コード）ものでもよい。
【００４９】
このような各ラベル部９１〜９４は、各バッグ本体２０〜５０の表面から容易に剥離しないものが好ましく、また、タンパープルーフ性を有しているのが好ましい。
【００５０】
また、各切り離し部９５〜９７には、切り離す順番を示す情報が表示されているのが好ましい。すなわち、図１に示すように、各切り離し部９５〜９７には、それぞれ、切り離す順番を示す数字「１」、「２」、「３」が付されている。これにより、切り離し部９５〜９７の切り離す順番を容易に把握することができ、切り離し操作を、誤操作なく、容易かつ確実に行うことができる。
【００５１】
なお、各切り離し部９５〜９７の切り離す順番に関する情報は、連結部材の切り離し部９５〜９７以外の箇所に表示されていてもよく、あるいは各バッグ２〜５に表示されていてもよい。
【００５２】
各切り離し部９５〜９７は、可撓性を有しているので、後述する各工程（特に工程［１］［３］［６］［７］）において、必要に応じ、切り離し部９５〜９７のうちの所望の切り離し部を折り曲げ、その両端部に位置するバッグ同士を重ねた状態として操作を行うこともできる。また、ミシン目９８の部位で折り曲げて同様の操作を行うこともできる。これにより、当該工程において、バッグ連結体１をコンパクトにまとめた状態で操作を行うことができる。
【００５３】
次に、本実施形態のバッグ連結体１の使用方法の一例について説明する。なお、フィルター８は、代表的に、血液から白血球を濾別（分離）する白血球除去フィルターとして説明する。
【００５４】
［１］  まず、採血針７を使用してドナー（供血者）から血液を採血し、第１のバッグ２内に所定量の採血血液を確保し、第１のバッグ２内に予め入れられている抗凝固剤と混和する。このとき、第１のバッグ２〜第４のバッグ５は、連結部材９により連結され、ひとまとめにされているため、各バッグやチューブ類がばらばらになり煩わしいということがなく、採血作業を容易に行うことができる。
【００５５】
採血終了後は、必要に応じて、チューブシーラー等により、チューブ６１を融着により封止し、その封止部を切断して採血針７側のチューブ６１を分離、除去する。
【００５６】
［２］  次に、切り離し部９５をその両端のミシン目９８に沿って切り離して連結部材９から除去し、第１のバッグ２と第２のバッグ３とを分離する。
【００５７】
このとき、切り離し部９５は、その両端のラベル部９１および９２とは色彩が異なる等により視覚的に識別可能であり、かつ、切り離す順番を示す数字「１」が表示されているので、容易に切り離し部９５を把握、特定することができ、また、ノッチ９９およびこれに続くミシン目９８の形成により、切り離し操作も容易かつ確実に行うことができ、ラベル部９１、９２を誤って破いてしまうこともない。
【００５８】
［３］  次に、第１のバッグ２内の血液をフィルター８により濾過する。すなわち、血液からの白血球の濾別（分離）を行う。この場合、例えば、血液が収納されている第１のバッグ２をスタンドに吊り下げることにより第１のバッグ２を高所に配置し、重力を利用して血液を移送してもよく、または、例えば特開平１−２８８２３８号公報等に記載されているようなバッグ加圧装置を用いて第１のバッグ２を加圧し、血液を押し出して移送してもよい。
【００５９】
この操作により、第１のバッグ２内の血液は、チューブ６２を経て入口８１からフィルター８内に流入し、濾材で白血球が濾別（分離）される。白血球が除去された血液（白除血）は、出口８２から流出し、チューブ６３を経て第２のバッグ３内に導入され、回収される。
【００６０】
［４］  次に、チューブシーラー等により、チューブ６３の途中を融着により封止し、その封止部を切断して、第１のバッグ２およびフィルター８と、第２のバッグ３とを分離する。
【００６１】
［５］  次に、切り離し部９６をその両端のミシン目９８に沿って切り離して連結部材９から除去し、第２のバッグ３と第３のバッグ４とを分離する。
【００６２】
このとき、切り離し部９６も前記と同様に、その両端のラベル部９２および９３とは色彩が異なる等により視覚的に識別可能であり、かつ、切り離す順番を示す数字「２」が表示されているので、容易に切り離し部９６を把握、特定することができ、また、ノッチ９９およびこれに続くミシン目９８の形成により、切り離し操作も容易かつ確実に行うことができ、ラベル部９２、９３を誤って破いてしまうこともない。
【００６３】
［６］  次に、第２のバッグ３、第３のバッグ４および第４のバッグ５をひとまとめにし、遠心分離装置の遠心カップ内に入れ、遠心分離装置を作動して遠心分離を施す。これにより、第２のバッグ３内に収納されている白除血は、例えば下層の赤血球と上層の多血小板血漿の２層に分離される。なお、このような血液成分の分離パターンは、遠心分離の条件（遠心回転数、遠心時間等）により定められる。
【００６４】
［７］  次に、第２のバッグ３内で２層に分離されている血液成分のうち、上層の多血小板血漿を、第３のバッグ４へ移送する。その方法は、次の通りである。
【００６５】
第２バッグの３を、血液成分分離移送装置（バッグ加圧装置）にセットし、チューブ６６をクレンメで封止した状態で、第２のバッグ３を徐々に加圧（圧迫）する。これにより、上澄みの多血小板血漿は、第２のバッグ３から排出され、チューブ６４、分岐コネクタ６７およびチューブ６５を経て第３のバッグ４へ移送され、回収される。
【００６６】
このようにして多血小板血漿の移送が完了したら、第２のバッグ３内には、下層の赤血球が残る。
【００６７】
［８］  次に、切り離し部９７をその両端のミシン目９８に沿って切り離して連結部材９から除去し、第３のバッグ４と第４のバッグ５とを分離する。
【００６８】
このとき、切り離し部９７も前記と同様に、その両端のラベル部９３および９４とは色彩が異なる等により視覚的に識別可能であり、かつ、切り離す順番を示す数字「３」が表示されているので、容易に切り離し部９７を把握、特定することができ、また、ノッチ９９およびこれに続くミシン目９８の形成により、切り離し操作も容易かつ確実に行うことができ、ラベル部９３、９４を誤って破いてしまうこともない。なお、この工程［８］は、前記工程［７］で行ってもよい。
【００６９】
［９］  次に第２のバッグ３内の赤血球に第４のバッグ５内の赤血球保存液（ＳＡＧＭ等）を添加する。
【００７０】
チューブ６６のクレンメによる封止を解除し、チューブ６５をクレンメで封止した状態で、赤血球保存液が第４のバッグ５から排出され、チューブ６６、分岐コネクタ６７およびチューブ６４を経て第２のバッグ３へ移送され、第２のバッグ３内の赤血球に添加される。
【００７１】
［１０］  次に、チューブシーラー等により、チューブ６４の途中を融着により封止し、この封止部を切断して、第２のバッグ３と第３のバッグ４とを分離する。
【００７２】
［１１］  次に、第３のバッグ４と第４のバッグ５を遠心分離して、第３のバッグ４内の白除血（多血小板血漿）を下層の血小板と上層の血漿とに分離する。そして、血小板を第３のバッグ４内に残し、上層の血漿を第４のバッグ５へ移送する。その後、チューブシーラー等により、チューブ６５または６６の途中を融着により封止し、この封止部を切断して、第３のバッグ４と第４のバッグ５とを分離する。
【００７３】
以上により、赤血球（赤血球濃厚液（ＣＲＣ））入りの第２のバッグ３、血小板（濃厚血小板血漿（ＰＣ））入りの第３のバッグ４および血漿（乏血小板血漿（ＰＰＰ））入りの第４のバッグ５が得られる。
【００７４】
なお、上記工程による血液の分離、回収操作は、一例であり、本発明においては、血液を分離、回収する血液成分の種類や、使用するバッグ、操作手順等は、特に限定されない。
【００７５】
以上のように、本発明のバッグ連結体１を用いることにより、採血から血液成分の分離、回収に至る各工程において、各バッグ２〜５、フィルター８、チューブ６１〜６６等を当該工程の作業に最も適した形態や姿勢となるようにすることができるので、各工程において、その作業を容易、迅速、確実に行うことができ、また、チューブ６１〜６６の捩れや絡まりを防止することが可能となる。
【００７６】
次に、本発明のバッグ連結体の第２実施形態について説明する。
図２は、本発明のバッグ連結体の第２実施形態を模式的に示す斜視図である。
【００７７】
以下、第２実施形態のバッグ連結体１について、前述した第１実施形態との相違点を中心に説明し、同様の事項については、その説明を省略する。
【００７８】
図２に示す第２実施形態のバッグ連結体１は、連結部材１０の構成が異なり、それ以外は前記第１実施形態と同様である。連結部材１０は、第１のバッグ２〜第４のバッグ５を重ねた状態（縦に並べた状態）で保持し得るように構成されたものであり、第１のバッグ２、第２のバッグ３、第３のバッグ４および第４のバッグ５にそれぞれ貼着されるラベル９１、９２、９３および９４と、これらに隣接する切り離し部１１、１２、１３および１４とを有している。
【００７９】
各切り離し部１１、１２、１３および１４の一端は、それぞれ、ミシン目９８を介してラベル９１、９２、９３および９４と接続されており、各切り離し部１１、１２、１３および１４の他端は、互いに連結（一体化）されている。
【００８０】
なお、各ラベル部９１〜９４および各切り離し部１１〜１４の構成は、概ね前記第１実施例と同様であるが、各切り離し部１１〜１４を切り離す順番（切り離すミシン目９８の順番）を示す数字「１」、「２」、「３」、「３」が各切り離し部１１〜１４上のミシン目９８の近傍に付されている点が異なっている。
【００８１】
次に、本発明のバッグ連結体の第３実施形態について説明する。
図３は、本発明のバッグ連結体の第３実施形態を模式的に示す斜視図、図４は、第３実施形態における連結部材の切り離し部の切り離し手順を示す平面図である。以下、第３実施形態のバッグ連結体１について、前述した第１実施形態との相違点を中心に説明し、同様の事項については、その説明を省略する。
【００８２】
図３に示す第３実施形態のバッグ連結体１は、連結部材１０’の構成が異なり、それ以外は前記第１実施形態と同様である。このバッグ連結体１は、第１のバッグ２〜第４のバッグ５を重ねた状態（縦に並べた状態）で保持し得るように構成されたものであり、第１のバッグ２、第２のバッグ３、第３のバッグ４および第４のバッグ５に、それぞれ、ラベル９１、９２、９３および９４が貼着されている。
【００８３】
ラベル９１には、ミシン目９８を介して切り離し部１５が連結され、ラベル９２には、ミシン目９８を介して切り離し部１６が連結され、ラベル９３には、ミシン目９８を介して切り離し部１７が連結され、ラベル９４には、ミシン目９８およびノッチ９９を介して切り離し部１８が連結されている。
【００８４】
このうち、ラベル９４に連結された切り離し部１８は、ミシン目９８およびノッチ９９により細い帯状の部分切り離し部１８１、１８２、１８３に３分割されている（図３参照）。これら部分切り離し部１８１、１８２および１８３の幅（図３中横方向の長さ）は、それぞれ、切り離し部１５、１６および１７の幅（図３中横方向の長さ）と同等の幅に設定されている。
【００８５】
また、ラベル９４および切り離し部１８の幅（図３中縦方向の長さ）に比べ、ラベル９１および切り離し部１５の幅、ラベル９２および切り離し部１６の幅、およびラベル９３および切り離し部１７の幅は、それぞれ短く設定され、これにより、４枚のラベル９１〜９４をその下端（図４中下端）をそろえて重ねたとき、ラベル９４の上端部（図４中上端部）および部分切り離し部１８１、１８２、１８３の上端部が露出するようになっている（図４（ａ）参照）。そして、部分切り離し部１８１、１８２、１８３の上端部（露出部）には、それぞれ、切り離す順番を示す数字「１」、「２」、「３」が付されている。
【００８６】
ラベル９１〜９４が４枚重ねの状態では、切り離し部１７が部分切り離し部１８３と重なり、切り離し部１６が部分切り離し部１８２と重なり、切り離し部１５が部分切り離し部１８１と重なる。これら各切り離し部の重なった部分は、それぞれ、接着剤による接着等の方法により固着されている（図３では、固着前の状態が示されている）。
このような第３実施形態における連結部材１０’の切り離し部の切り離し手順は、次の通りである。
【００８７】
図４（ａ）に示すラベルの４枚重ねの状態では、各バッグ２〜５は連結部材１０’により連結されており、この状態から数字「１」に従って部分切り離し部１８１およびそれに重ねられて固着されている切り離し部１５をその側部のミシン目９８に沿って切り離し、除去すると、図４（ｂ）の状態となり、第１のバッグ２が他のバッグ３〜５から分離される。
【００８８】
次に、このラベルの３枚重ねの状態から、数字「２」に従って部分切り離し部１８２およびそれに重ねられて固着されている切り離し部１６をその側部のミシン目９８に沿って切り離し、除去すると、図４（ｃ）の状態となり、第２のバッグ３が第３および第４のバッグ４、５から分離される。
【００８９】
次に、このラベルの２枚重ねの状態から、数字「３」に従って部分切り離し部１８３およびそれに重ねられて固着されている切り離し部１７をその側部のミシン目９８に沿って切り離し、除去すると、図４（ｄ）の状態となり、第３のバッグ４が第４のバッグ５から分離される。
【００９０】
以上、本発明のバッグ連結体を、図示の各実施形態に基づいて説明したが、本発明はこれらに限定されるものではなく、各部の構成は、同様の機能を有する任意の構成のものに置換することができ、また、任意の構成を付加することもできる。
【００９１】
前記各実施形態では、４連バッグ連結体としたが、本発明はこれに限らず、２連バッグ、３連バッグまたは５連以上のバッグ連結体であってもよく、また、バッグ連結体を構成する各バッグの構成、用途等も特に限定されないことは、言うまでもない。
【００９２】
【発明の効果】
以上述べたように、本発明によれば、例えば血液成分の分離・回収のような操作を容易、迅速に行うことができ、誤操作も防止でき、より適正で確実な操作が可能となる。
【００９３】
特に、切り離し部を視覚的に容易に認識することができ、切り離す順番を容易に把握することができるように構成した場合には、上記効果がより顕著に発揮される。
【００９４】
また、従来に比べ、バッグやチューブ等に構造上著しい変更がなく、構造が簡易であり、しかも、連結部材の製造やバッグへの装着も容易であるため、バッグ連結体の製造を容易に行うことができ、製造コストも安価である。
【図面の簡単な説明】
【図１】本発明のバッグ連結体の第１実施形態を模式的に示す平面図である。
【図２】本発明のバッグ連結体の第２実施形態を模式的に示す斜視図である。
【図３】本発明のバッグ連結体の第３実施形態を模式的に示す平面図である。
【図４】図３に示す第３実施形態における連結部材の切り離し部の切り離し手順を示す平面図である。
【符号の説明】
１              バッグ連結体
２              第１のバッグ（採血バッグ）
２０            バッグ本体
３              第２のバッグ（血液成分バッグ）
３０            バッグ本体
４              第３のバッグ（血液成分バッグ）
４０            バッグ本体
５              第４のバッグ（血液成分バッグ）
５０            バッグ本体
６１〜６６      チューブ
６７            分岐コネクタ
７              採血針
７１            ハブ
８              フィルター
８１            入口
８２            出口
９              連結部材
９１〜９４      ラベル
９５〜９７      切り離し部
９８            ミシン目
９９            ノッチ
１０、１０’    連結部材
１１〜１４      切り離し部
１５〜１８      切り離し部
１８１〜１８３  部分切り離し部
【図１】
2004267377.tif 000003
【図２】
2004267377.tif 000004
【図３】
2004267377.tif 000005
【図４】
2004267377.tif 000006